(57)【要約】【課題】  コンテンツ送信機能を有する携帯電話端末に係り、コンテンツデータ等を簡単な操作で送信できるようにすることを課題とする。【解決手段】  宛先情報取得処理部１０は、電話発着信部２で特定される通話中の相手先のダイヤル番号と対応するアドレスをアドレスデータ記憶部３から読み出し、メール送信部９は、読み出したアドレスに対するメールを生成し、コンテンツデータ記憶部６に記憶しているコンテンツデータを当該メールに添付して送信する。また、コンテンツ付帯情報記憶部１２に記憶しているコンテンツ付帯情報も、メールに加えて送信する。【選択図】        図２
2005348185.tif 000002
【特許請求の範囲】
【請求項１】
以下の要素を有することを特徴とする電話端末
（１）通話中の相手先のダイヤル番号を記憶する電話発着信部
（２）通話対象となる相手側電話のダイヤル番号とアドレスとを対応付けて記憶するアドレスデータ記憶部
（３）通話中の相手先のダイヤル番号を電話発着信部から取得し、当該ダイヤル番号に対応するアドレスをアドレスデータ記憶部から読み取る宛先情報取得処理部
（４）コンテンツデータを記憶するコンテンツデータ記憶部
（５）読み取ったアドレスに対するメールを生成し、コンテンツデータ記憶部に記憶しているコンテンツデータを当該メールに添付して、送信するメール送信部。
【請求項２】
以下の要素を有することを特徴とする電話端末
（１）コンテンツ識別情報に対応付けてコンテンツデータ群を記憶するコンテンツデータ記憶部
（２）コンテンツ識別情報に対応付けて当該コンテンツに付帯するコンテンツ付帯情報群を記憶するコンテンツデータ付帯情報記憶部
（３）送信対象のコンテンツ識別情報に対応するコンテンツデータをコンテンツデータ記憶部から取得し、更に、当該コンテンツ識別情報に対応するコンテンツ付帯情報をコンテンツデータ付帯情報記憶部から取得するコンテンツ取得処理部
（４）取得した前記コンテンツ付帯情報を本文とするメールを生成し、更に、取得した前記コンテンツデータを当該メールに添付して、送信するメール送信部。
【請求項３】
電話端末は、
（１）コンテンツ識別情報に対応付けてコンテンツデータ群を記憶するコンテンツデータ記憶部と、
（２）送信対象となるコンテンツのコンテンツ識別情報に対応するコンテンツデータをコンテンツデータ記憶部から取得するコンテンツ取得処理部と、
（３）取得した前記コンテンツデータを添付したメールを生成し、送信するメール送信部と、
（４）送信対象となるコンテンツのコンテンツ識別情報を、送信先を識別する送信先識別情報と対応付けて記憶するコンテンツ送信履歴記憶部とを有し、
前記コンテンツ取得処理部は、送信しようとするメールの送信先の送信先識別情報と送信しようとするコンテンツのコンテンツ識別情報の組み合わせが、前記コンテンツ送信履歴記憶部に記憶されている場合に、当該コンテンツが送信済であることを表示することを特徴とする電話端末。
【発明の詳細な説明】
【技術分野】
【０００１】
本発明は、コンテンツ送信機能を有する携帯電話端末に係り、コンテンツデータ等を簡単な操作で送信できる技術に関する。
【背景技術】
【０００２】
図１１は、通話中のコンテンツ送信機能を有する携帯電話端末の構成を示す図である。図１１中の１は操作者がダイヤル情報等を入力する操作部、２は発信動作／着信動作を制御する電話発着信部、３は電話番号等が含まれるアドレスデータ記憶部、４はコンテンツを表示するコンテンツ表示部、５はコンテンツを端末内に保存するコンテンツ取得処理部、６は画像／音楽等の実データが保存されているコンテンツデータ記憶部、７は回線交換等を行う通信部、８は操作者が必要とする情報を表示する表示装置、９はコンテンツを相手に送るメール送信部である。
【０００３】
図１２は、従来の操作フローを示す図である。この図を用いて、動作について説明する。図１２のＳ１２０１，Ｓ１２０２によって、電話発信から通話中に移行する。図１１中に示す通り、操作部１によってダイヤル入力し発呼する際、電話発着信部２は、アドレスデータ記憶部３からダイヤルが一致する該当データを取得し、表示装置８に宛先の名前を表示する。
【０００４】
通話中になった後、通話相手に送信するための準備として、図１２のＳ１２０３〜Ｓ１２０６までの操作を必要とする。コンテンツを送信するためにメール起動し、所要の情報を入力する。Ｓ１２０７〜Ｓ１２１０までのコンテンツを選択する操作も必要となる。この処理例では、コンテンツデータ記憶部６からコンテンツ取得処理部５を経由してコンテンツ表示部４に表示させることとなる。
【０００５】
このように、従来の操作及び処理については、「ユーザ自身による電話操作からメールへの切替操作、メールアドレス検索操作、メール作成操作、およびコンテンツデータ検索・添付操作」が必要であった。
【特許文献１】特開２００２−３３０２３４号公報
【発明の開示】
【発明が解決しようとする課題】
【０００６】
本発明は、上記した従来技術の欠点を除くためになされたものであって、その目的とするところは、通話中の相手に対して、端末内に保存された静止画、動画、音楽、ダウンロードアプリ等のコンテンツデータを送信する際に、通話時に端末内に保持されている通話相手の電話番号をキーとして、アドレスデータＤＢよりメールアドレスを抽出し、コンテンツデータをコンテンツに関連した情報を付与して、簡単な操作で相手にメールで送信できるようにすることを課題とする。
【課題を解決するための手段】
【０００７】
本発明に係る携帯電話端末は、
以下の要素を有することを特徴とする
（１）通話中の相手先のダイヤル番号を特定可能な電話発着信部
（２）通話対象となる相手側携帯電話のダイヤル番号とアドレスとを対応付けて記憶するアドレスデータ記憶部
（３）通話中の相手先のダイヤル番号を電話発着信部から取得し、当該ダイヤル番号に対応するアドレスをアドレスデータ記憶部から読み取る宛先情報取得処理部
（４）コンテンツデータを記憶するコンテンツデータ記憶部
（５）読み取ったアドレスに対するメールを生成し、コンテンツデータ記憶部に記憶しているコンテンツデータを当該メールに添付して、送信するメール送信部。
【発明の効果】
【０００８】
本発明においては、通話している相手に対して簡単に保有しているコンテンツを送付することができる。従来の装置では、電話操作、メールアドレス検索操作、メール作成操作、およびコンテンツデータ検索・添付操作が独立していたため、通話中の相手にコンテンツデータを送信する際にユーザは煩雑な操作を必要としていたが、これらの関連する操作を自動的に行うことによりユーザにとっての利便性が向上する。
【発明を実施するための最良の形態】
【０００９】
実施の形態１．
以下本発明を図面に示す実施例に基づいて説明する。本発明の構成について図１の構成図により説明する。図１中の１０は操作部１から入力されたダイヤル情報に基づき、アドレスデータ記憶部３から取得した情報から、通話相手のアドレスを取得する宛先情報取得処理部、１１はコンテンツデータに関連するデータを取得するコンテンツ関連情報取得処理部、１２はコンテンツデータのダウンロード時に取得したコンテンツに関連するデータを記憶するコンテンツ付帯情報記憶部である。その他のブロックは、図１に示した従来の装置と同様である。
【００１０】
電話発着信部２は、通話中の相手先のダイヤル番号を記憶しており、アドレスデータ記憶部３は、通話対象となる相手側携帯電話のダイヤル番号とアドレスとを対応付けて記憶している。そして、宛先情報取得処理部１０は、通話中の相手先のダイヤル番号を電話発着信部２から取得し、当該ダイヤル番号に対応するアドレスをアドレスデータ記憶部３から読み取るように構成されている。
【００１１】
コンテンツデータ記憶部６は、コンテンツ識別情報に対応付けてコンテンツデータ群を記憶し、コンテンツ付帯情報記憶部１２は、コンテンツ識別情報に対応付けて当該コンテンツに付帯するコンテンツ付帯情報群を記憶している。そして、コンテンツ取得処理部５は、送信対象のコンテンツ識別情報に対応するコンテンツデータをコンテンツデータ記憶部６から取得し、更に、当該コンテンツ識別情報に対応するコンテンツ付帯情報をコンテンツ関連情報取得処理部１１を介してコンテンツデータ付帯情報記憶部１２から取得し、メール送信部９は、取得したコンテンツ付帯情報を本文とするメールを生成し、更に、取得したコンテンツデータを当該メールに添付して、宛先情報取得処理部１０で取得したアドレスへ送信するように構成されている。
【００１２】
図２のデータフローと図３の操作フローを用いて、動作について説明する。Ｓ３０１にて電話発呼する際（電話着呼する際も同様）、通話相手のダイヤル番号を電話発着信部２に保持する。
【００１３】
図３の通話中（Ｓ３０３）とした後、操作部１によるユーザ操作にて、コンテンツ取得処理部５を介してコンテンツデータ記憶部６からコンテンツデータを引き出し、コンテンツ表示部４に表示させる（Ｓ３０５）。図４にコンテンツ表示例を示す。
【００１４】
このコンテンツを選択した時点で（Ｓ３０６）、送信するための各種情報を取得し通話相手にコンテンツを送信する（Ｓ３０７）。これによって、通話相手のアドレスを入力することなく、又コンテンツの関連情報を追加入力することなく、１回の操作のみで相手に必要な情報を送信することができる。
【００１５】
図５に各々の情報を組み込んだメールの内容を示す。各種情報の組み込み方法について、下記に示す。
（１）先の宛先情報取得処理部１０は電話発着信部２に保持していたダイヤル番号をキーワードにアドレスデータ記憶部３からメールアドレスを取得し、宛先欄に組み込む。
（２）予め、コンテンツデータ取得時に、コンテンツ関連情報取得処理部１１にて、取得したコンテンツデータに対応付けてコンテンツ付帯情報を取得しコンテンツ付帯情報記憶部１２に記憶しておく。コンテンツ付帯情報の例を図６に示す。コンテンツを選択した時点で、これに対応付けられたコンテンツ付帯情報をメールの内容欄に組み込む。
【００１６】
付帯する情報は、例えば、店舗であれば、サイト名、電話番号、メールアドレス、最寄駅、ルートである。サイト上にあらゆる形で上がっているもの、又は、サイトになくても、最寄りの店舗情報を自身で手入力する等の手段がある。
【００１７】
従来は、コンテンツデータを送信する際に、コンテンツに関連した情報についてはメール本文に別途記載する等の必要があり、簡単な操作で作成・送信することができなかった。これに対して、本発明では、コンテンツ取得時に関連した情報を予め取得、入力しておくことによって、コンテンツ選択するのみで付帯情報を自動的に組み込んで送信することができる。
【００１８】
実施の形態２．
本実施の形態では、通話相手のアドレス情報に対してコンテンツ情報をリンクしたコンテンツ送信履歴を用いて、送付済みのコンテンツデータを操作者に知らせる例について説明する。
【００１９】
図７の構成図に示すように、コンテンツの送信に係る履歴を生成し、登録するコンテンツ送信履歴登録処理部１３と、コンテンツの送信履歴を記憶するコンテンツ送信履歴記憶部１４とを有している。
【００２０】
図８のデータフローと図９の操作フローを用いて、動作について説明する。Ｓ９０１で、コンテンツ送信履歴登録処理部１３は、ダイヤル番号（あるいはアドレス）と対応付けて送信済みのコンテンツ識別情報を、コンテンツ送信履歴記憶部１４に記憶させる。
【００２１】
図１０のデータフローを用いて説明する。Ｓ３０５のコンテンツデータの取得の際に、コンテンツ取得処理部５は、宛先を示すダイヤル番号（あるいはアドレス）と対応する送信済みのコンテンツ識別情報をコンテンツ送信履歴記憶部１４から読みこみ、送信済みのコンテンツを認識できる形態でコンテンツ表示部４に表示する。例えば、送信済みのコンテンツ名を表示する。
【００２２】
このようにコンテンツ送信履歴を用いるので、以前どのような情報を相手に送信していたかが即解るため、無駄にコンテンツを送信することがなくなる。
【００２３】
また、電話帳に登録している通話相手の場合には、既に自身の持つ情報を共有できると仮定すれば、通話相手に対してのみ、提供できる情報を、自身から送るだけでなく、相手から要求して取得する仕組みも可能と考えられる。これにより、各々が簡易端末サーバー的役割を担い、自由にデータを交換できるようになる。
【図面の簡単な説明】
【００２４】
【図１】実施の形態１に係る携帯電話端末の構成を示す図である。
【図２】実施の形態１に係るデータフローを示す図である。
【図３】実施の形態１に係る操作フローを示す図である。
【図４】コンテンツ表示画面への遷移を示す図である。
【図５】メールの内容を示す図である。
【図６】コンテンツデータの例を示す図である。
【図７】実施の形態２に係る携帯電話端末の構成を示す図である。
【図８】実施の形態２に係るデータフローを示す図である。
【図９】実施の形態２に係る操作フローを示す図である。
【図１０】実施の形態２に係るデータフローを示す図である。
【図１１】従来技術に係る携帯電話端末の構成を示す図である。
【図１２】従来技術に係る操作フローを示す図である。
【符号の説明】
【００２５】
１  操作部、２  電話発着信部、３  アドレスデータ記憶部、４  コンテンツ表示部、５  コンテンツ取得処理部、６  コンテンツデータ記憶部、７  通信部、８  表示装置、９  メール送信部、１０  宛先情報取得処理部、１１  コンテンツ関連情報取得処理部、１２  コンテンツ付帯情報記憶部、１３  コンテンツ送信履歴登録処理部、１４  コンテンツ送信履歴記憶部。
【図１】
2005348185.tif 000003
【図２】
2005348185.tif 000004
【図３】
2005348185.tif 000005
【図４】
2005348185.tif 000006
【図５】
2005348185.tif 000007
【図６】
2005348185.tif 000008
【図７】
2005348185.tif 000009
【図８】
2005348185.tif 000010
【図９】
2005348185.tif 000011
【図１０】
2005348185.tif 000012
【図１１】
2005348185.tif 000013
【図１２】
2005348185.tif 000014